(57)【要約】【課題】  歯列の接写撮影、または観察において、患者の口元のみに照明光を照射し、患者の顔面との接触を防ぐ照明装置、および照明装置と共に用いられる遮光具を実現する。【解決手段】  デジタルカメラ２０のレンズ鏡筒２２の周囲に着脱自在に取り付けられる照明装置１０は、切欠１４を有するリング状であって、円環の一部を成す形状の照射面１２を含む。切欠１４が設けられ、照射面１２が馬蹄形であることから、患者の接写撮影時において、口の周辺を含む照明領域３２のみが照明される。このため、患者の目に照明光が照射されず、さらに、患者の顔面の照明装置１０への接触が防止される。【選択図】        図２
2005234421.tif 000002
【特許請求の範囲】
【請求項１】
レンズ鏡筒の周囲に着脱自在に取り付けられる口腔撮影用の照明装置であって、
前記照明装置が、円環の一部を成す形状であって接写時に被撮影者の口および鼻より下の口周辺部のみを照明するように照明光を照射する照射面を備えることを特徴とする照明装置。
【請求項２】
前記照明装置が、切欠を有するリング状であることを特徴とする請求項１に記載の照明装置。
【請求項３】
前記照射面が、馬蹄形であることを特徴とする請求項１に記載の照明装置。
【請求項４】
前記照明装置に備えられた光源が半導体発光素子であることを特徴とする請求項１に記載の照明装置。
【請求項５】
レンズ鏡筒の周囲に着脱自在に取り付けられ、円環状の照射面を備えた口腔撮影用の照明装置の前記照射面を覆うように、前記照明装置に着脱自在に取り付けられる遮光具であって、
前記照射面から照射される照明光を遮光する遮光面と、
前記照射面から照射される照明光を透過する透過面とを備え、
前記透過面が、円環の一部を成す形状であって、接写時に被撮影者の口および鼻より下の口周辺部のみを照明するように照明光を透過することを特徴とする遮光具。
【請求項６】
前記遮光面と、前記遮光具の表面であって取付け時に前記照射面に接する取付け面との距離が、前記透過面と前記取付け面との距離よりも短いことを特徴とする請求項５に記載の遮光具。
【請求項７】
前記遮光具が、前記レンズ鏡筒が内包する撮影光学系の光軸方向に関して段状であることを特徴とする請求項６に記載の遮光具。
【請求項８】
レンズ鏡筒の周囲に着脱自在に取り付けられる照明装置であって、
前記照明装置が、円環の一部が切欠かれた円弧形状を成す、照明光を照射する照射面を備えることを特徴とする照明装置。
【発明の詳細な説明】
【技術分野】
【０００１】
本発明は、口腔用照明装置に関し、特に、人の歯列を撮影、または観察する歯科医療用の照明装置に関する。
【背景技術】
【０００２】
一般に、歯科医療用に人の歯列を接写撮影する場合、接写に適したリングストロボが使用されている。（例えば特許文献１）。リングストロボは、撮影装置のレンズ鏡筒の周囲に取付けられ、患者（被撮影者）の口元に光を照射する。
【特許文献１】特開２００１−３５６４０３号公報（図１）
【発明の開示】
【発明が解決しようとする課題】
【０００３】
患者の歯列の撮影または観察用に、円環状の照射面を備えたリングストロボを用いると、顔面全般が照明されて、患者の目に光が入射したり、顔面に熱が加わる場合がある。さらに、一般に歯列は接写によって撮影されるため、リングストロボが患者の顔面に接触する恐れがあり、患者に不快感を与える。
【０００４】
本発明は、歯科医療用の接写撮影、または歯列の観察において、患者の口元のみに照明光を照射し、患者の顔面との接触を防ぐ照明装置、および照明装置と共に用いられる遮光具を実現することを目的とする。
【課題を解決するための手段】
【０００５】
本発明の照明装置は、レンズ鏡筒の周囲に着脱自在に取り付けられ、口腔撮影に用いられる。そして、照明装置は、円環の一部を成す形状であって接写時に被撮影者の口および鼻より下の口周辺部のみを照明するように照明光を照射する照射面を備える。
【０００６】
照明装置は、切欠を有するリング状であることが好ましい。また、照射面は、例えば馬蹄形である。
【０００７】
照明装置に備えられた光源は、半導体発光素子であることが好ましい。
【０００８】
本発明の遮光具は、レンズ鏡筒の周囲に着脱自在に取り付けられ、円環状の照射面を備えた口腔撮影用の照明装置の照射面を覆うように、照明装置に着脱自在に取り付けられる。そして、遮光具は、照射面から照射される照明光を遮光する遮光面と、照射面から照射される照明光を透過する透過面とを備えており、透過面は、円環の一部を成す形状であって、接写時に被撮影者の口および鼻より下の口周辺部のみを照明するように照明光を透過する。
【０００９】
遮光面と、遮光具の表面であって取付け時に照射面に接する取付け面との距離は、透過面と取付け面との距離よりも短いことが望ましい。また、遮光具は、例えば、レンズ鏡筒が内包する撮影光学系の光軸方向に関して段状である。
【００１０】
本発明の照明装置は、レンズ鏡筒の周囲に着脱自在に取り付けられる照明装置であって、円環の一部が切欠かれた円弧形状を成す、照明光を照射する照射面を備え、口腔観察にも用いられる。
【発明の効果】
【００１１】
本発明によれば、接写撮影、または観察において、患者（被撮影者）の口元のみに照明光を照射し、患者の顔面との接触を防ぐ照明装置、および照明装置と共に用いられる遮光具を実現できる。
【発明を実施するための最良の形態】
【００１２】
以下、本発明の実施形態を、図面を参照して説明する。図１は、第１の実施形態における照明装置１０とデジタルカメラ２０とを示す斜視図である。図２は、照明装置１０とデジタルカメラ２０とを示す側面図である。
【００１３】
本実施形態における照明装置１０は、デジタルカメラ２０の撮影光学系（図示せず）を内包したレンズ鏡筒２２の周囲に着脱自在に取り付けられ、使用される。照明装置１０は、切欠１４を有するリング状であって、円環の一部を成す馬蹄形の照射面１２を含む。照明装置１０の光源として、半導体発光素子（図示せず）が用いられており、照明装置１０は、その形状と光源が、従来のリングストロボと異なっている。なお、照射面１２から照射される照明光の光量調整のため、照明装置１０は、レギュレータ（図示せず）に接続され、使用される。
【００１４】
切欠１４は、患者の顔面を接写、又は観察する際に、患者の目に照明光を照射せず、鼻が照明装置１０に接触しないように形成されている（図２参照）。このため、照明装置１０が、歯列の接写撮影、観察に用いられると、円環の一部が切欠かれた円弧形状を成す照射面１２から照射された照明光により、患者の口を含む鼻より下の照明領域３２のみが照明される。
【００１５】
以上のように、本実施形態によれば、被写体である患者の口や、鼻より下の口周辺部のみを限定的に照明し、さらに接写撮影時、観察時に患者の顔面と接触することを防ぐ照明装置を実現できる。
【００１６】
照明装置１０の立体形状、および照明装置１０の照射面１２の平面形状は、本実施形態に限定されず、被写体や照明領域３２等の形状に応じて調整される。例えば、接写撮影時に患者と接触しない限り、切欠１４が小さく、照明装置１０がほぼ完全なリング状であっても良い。また、照射面１２の形状も、患者の目や鼻を含まずに口および口の周辺部のみを照明する限り、本実施形態に限定されない。
【００１７】
照明装置１０の光源は、光量の調整が容易である半導体発光素子であることが好ましいが、これに限定されない。
【００１８】
次に、第２の実施形態について説明する。図３は、第２の実施形態における遮光具と、リングストロボとを示す斜視図である。図４は、遮光具とリングストロボとを示す側面図である。なお、第１の実施形態と同一の構成要素には同一の符号が付されており、本実施形態のリングストロボは、第１の実施形態における照明装置１０とは異なり、公知のものである。
【００１９】
本実施形態における遮光具３０は、リングストロボ１６の円環状の照射面１２を覆うように、図示しない螺子によってリングストロボ１６に着脱自在に取り付けられ、使用される。リングストロボ１６は、デジタルカメラ２０のレンズ鏡筒２２の周囲に着脱自在に取付けられる。遮光具３０は、プラスチック製であって、リングストロボ１６の円環状の照射面１２から照射される照明光の一部を遮断するために黒く着色された遮光面３４と、円環の一部を成す馬蹄形であって、照明光を透過する透過面３６とを含む。
【００２０】
遮光具３０は、取付け時にリングストロボ１６の照射面１２と接する取付け面３８を有する（図４参照）。遮光具３０は、接写時に患者の鼻が遮光具３０に接触しないように、デジタルカメラ２０の撮影光学系の光軸方向に関して段状である。すなわち、遮光面３４と取付け面３８との距離は、透過面３６と取付け面３８との距離よりも短い。そして、遮光面３４によって、患者の目の付近への照明光の照射が遮られ、透過面３６を透過した照明光は、接写時に、患者の口を含み、鼻より下の口の周辺部である照明領域３２のみを照明する。
【００２１】
以上のように、本実施形態によれば、被写体である患者の特定部位のみを限定的に照明するように照明装置から照射された照明光の一部を遮光し、さらに接写時に患者の顔面が接触することを防ぐ遮光具を実現できる。
【００２２】
遮光具３０の立体形状、遮光面３４および透過面３６の平面形状は、本実施形態に限定されず、被写体や照明領域３２の形状等に応じて調整される。
【図面の簡単な説明】
【００２３】
【図１】第１の実施形態における照明装置と、デジタルカメラとを示す斜視図である。
【図２】照明装置と、デジタルカメラとを示す側面図である。
【図３】第２の実施形態における遮光具と、リングストロボとを示す斜視図である。
【図４】遮光具と、リングストロボとを示す側面図である。
【符号の説明】
【００２４】
１０  照明装置
１２  照射面
１４  切欠
２０  デジタルカメラ（撮影装置）
３０  遮光具
３４  遮光面
３６  透過面
３８  取付け面
【図１】
2005234421.tif 000003
【図２】
2005234421.tif 000004
【図３】
2005234421.tif 000005
【図４】
2005234421.tif 000006